(57)【要約】【課題】  本発明は、睡眠時無呼吸症候群の治療に用いる、取扱い容易なＣＰＡＰ装置を提供する。【解決手段】  空気流入口とその空気流入口から流入した空気を流出させる空気流出口とを有し内部に吸音材が配置された消音器２０、空気取入口を有し鼻を覆うように取り付けられてその空気取入口から取り入れた空気を気道に供給するマスク４０の空気取入口に差し込まれる、管状に延びた空気送出口と、消音器の空気流出口に着脱自在に結合する空気中継口とを有するとともに、空気中継口を通ってきた空気を空気送出口から送り出すファンが内蔵され、消音器２０およびマスク４０とともに患者の頭部に装着される組立体１０を構成する本体３０、およびファン駆動用の駆動回路が内蔵されてファンを駆動する、組立体とは離間した位置に置かれてその組立体との間が電線８０で接続されたコントローラ７０を備えた。【選択図】        図３
2013150684.tif 000002
【特許請求の範囲】
【請求項１】
空気流入口と該空気流入口から流入した空気を流出させる空気流出口とを有し内部に空気流入音を低減する消音機構を備えた消音器と、
空気取入口を有し鼻を覆うように取り付けられて該空気取入口から取り入れた空気を患者の気道に供給するマスクの該空気取入口に着脱自在に差し込まれる、管状に延びた空気送出口と、前記消音器の前記空気流出口に着脱自在に結合する空気中継口とを有するとともに、該空気中継口を通って流入してきた空気を該空気送出口から送り出すファンが内蔵され、前記消音器および前記マスクとともに患者の頭部に装着される組立体を構成する本体と、
前記ファン駆動用の駆動回路が内蔵されて該ファンを駆動する、前記組立体とは離間した位置に置かれて該組立体との間が電線で接続されたコントローラと
を備えたことを特徴とするＣＰＡＰ装置。
【請求項２】
前記消音器は、前記空気流入口および前記空気流出口をそれぞれ上面および前面に有するとともに、後面に、患者の前頭部に宛がわれる宛て部を有することを特徴とする請求項１記載のＣＰＡＰ装置。
【請求項３】
前記ファンは、シャフトとスリーブとの間に空気軸受けを有することを特徴とする請求項１又は２記載のＣＰＡＰ装置。
【請求項４】
前記本体は、前記ファンを内蔵した、緩衝材からなる筐体を有することを特徴とする請求項１から３のうちいずれか１項記載のＣＰＡＰ装置。
【請求項５】
前記本体がさらに、前記マスクの前記空気取入口が着脱自在に差し込まれる前記空気送出口とは別に、該マスクが着脱自在に取り付けられるマスク取付部を有することを特徴とする請求項１から４のうちいずれか１項記載のＣＰＡＰ装置。
【請求項６】
マスクの種類に応じて用意された、該マスクの上部を固定するアタッチメントを有し、前記マスク取付部は、該アタッチメントを介して該マスクを取り付けるものであることを特徴とする請求項５記載のＣＰＡＰ装置。
【発明の詳細な説明】
【技術分野】
【０００１】
本発明は、睡眠時無呼吸症候群の治療に用いるＣＰＡＰ（Ｃｏｎｔｉｎｉｏｕｓ  Ｐｏｓｉｔｉｖｅ  Ａｉｒｗａｙ  Ｐｒｅｓｓｕｒｅ）装置に関する。
【背景技術】
【０００２】
睡眠時無呼吸症候群の治療用として、顔にマスクを宛てがいファンで空気を強制的に気道に送り込むＣＰＡＰ装置が用いられている。このＣＰＡＰ装置として、人体から離れた位置にファンや制御部等を内蔵した本体装置を置き、その本体装置と顔に宛てがうマスクとの間が１．５ｍ程度のホースで接続されてそのホースを経由して空気を送り込む構造が一般に採用されている。ここで、マスクとしては、様々な形状のマスクが開発されて市販されており、患者は自分の顔の形や好みに合うマスクを任意に選択して使用している。
【０００３】
この構造のＣＰＡＰ装置の場合、マスクや１．５ｍもの長さのホースを定期的に洗浄する必要があり、また、持ち運びを考えるとホースは長尺で嵩張り、本体装置も１４０×１８０×１００ｍｍ程度の容積を有しており、持ち運びに不便な大きさであるなど、いくつもの課題があり、毎日継続して使用しなければならない治療方法であるのに反して、患者にとって取扱いが不便であるため継続使用されないことの多い治療器具の１つとなっている。
【０００４】
これらの課題を解決して取扱い易いＣＰＡＰ装置とするために様々な構造が提案されているが（例えば特許文献１〜５参照）、特殊なマスクを必要とするなど、取扱い易いＣＰＡＰ装置には至っていないのが現状である。
【０００５】
尚、後述する本発明の好ましい実施形態では、空気軸受けを有するファンモータが使われており、ここでは、ファンモータについて開示された文献（特許文献６，７）を挙げておく。
【先行技術文献】
【特許文献】
【０００６】
【特許文献１】米国出願ＵＳ２００６／００９６５９６Ａ１公報
【特許文献２】米国出願ＵＳ２００７／０２７７８２７Ａ１公報
【特許文献３】米国出願ＵＳ２００９／０１９４１０１Ａ１公報
【特許文献４】米国出願ＵＳ２００９／０３２０８４２Ａ１公報
【特許文献５】米国出願ＵＳ２０１０／０１０８０７０Ａ１公報
【特許文献６】特開２００７−５７０４８号公報
【特許文献７】特開２００９−５２４８５号公報
【発明の概要】
【発明が解決しようとする課題】
【０００７】
本発明は、上記事情に鑑み、取扱いが容易なＣＰＡＰ装置を提供することを目的とする。
【課題を解決するための手段】
【０００８】
上記目的を達成する本発明のＣＰＡＰ装置は、
空気流入口とその空気流入口から流入した空気を流出させる空気流出口とを有し内部に空気流入音を低減する消音機構を備えた消音器と、
空気取入口を有し鼻を覆うように取り付けられてその空気取入口から取り入れた空気を患者の気道に供給するマスクの空気取入口に着脱自在に差し込まれる、管状に延びた空気送出口と、上記消音器の空気流出口に着脱自在に結合する空気中継口とを有するとともに、空気中継口を通って流入してきた空気を空気送出口から送り出すファンが内蔵され、消音器およびマスクとともに患者の頭部に装着される組立体を構成する本体と、
上記ファン駆動用の駆動回路が内蔵されて上記ファンを駆動する、上記組立体とは離間した位置に置かれてその組立体との間が電線で接続されたコントローラと
を備えたことを特徴とする。
【０００９】
本発明のＣＰＡＰ装置は、上記の構造の組立体を備えたものであり、マスクの着脱が自在であることから、市販の様々なマスクが使用可能である。また、本発明のＣＰＡＰ装置は、消音器と本体とマスクとが組立体として一体化されたものであり、装着が容易である。また、組立体は、コントローラとの間が電線で接続されているので、ホースで接続されている構成と比べ、コントローラの存在が大きな違和感を与えることはない。さらに、ホースが存在しないため普段の洗浄はマスクのみでよく、この点においても取扱いが容易である。さらに、ファンは、年１回オーバホールが必要とされる部品であるが、コントローラだけでなく、消音器やマスクも本体とは別に構成されて着脱自在であるため、本発明によれば、ファンのオーバホールに代えて、本体そのものを取り替える仕様とすることも可能である。
【００１０】
ここで、本発明のＣＰＡＰ装置において、上記消音器は、空気流入口および空気流出口をそれぞれ上面および前面に有するとともに、後面に患者の前頭部に宛がわれる宛て部を有することが好ましい。
【００１１】
消音器をこの構成とすることによって、消音器も患者の頭部への支持を担うこととなり、組立体が一層安定的に頭部に装着される。
【００１２】
また、本発明のＣＰＡＰ装置において、上記ファンは、シャフトとスリーブとの間に空気軸受けを有するものであることが好ましい。
【００１３】
空気軸受けのファンを採用すると高速回転が可能となるため、十分な空気圧の発生を必要とする本体を小型、軽量に構成することができる。
【００１４】
さらに、本発明のＣＰＡＰ装置において、上記本体は、上記ファンを内蔵した、緩衝材からなる筐体を有することが好ましい。
【００１５】
ＣＰＡＰ装置は、患者が睡眠中に無意識に取り外してしまうことがあることが知られている。ファンを緩衝材で覆う構造の本体とすることにより、無意識に取り外されて落下することがあっても、本体内のファンの破損が防止される。
【００１６】
さらに本発明のＣＰＡＰ装置において、上記本体がさらに、マスクの空気取入口が着脱自在に差し込まれる空気送出口とは別に、マスクが着脱自在に取り付けられるマスク取付部を有することが好ましい。
【００１７】
本体とマスクとの間の直接の結合は、本体の、管状に延びた空気送出口と、その空気送出口が着脱自在に差し込まれるマスクの空気取入口との結合のみとし、マスクと本体とを患者の頭部に、例えば別々のベルト等で個々に固定する構造としてもよいが、本体がマスク取付部を有し、上記の空気送出口と空気取入口の結合に加え、さらにマスクがマスク取付部を介して本体に取り付けられる構造とすると、マスクと本体の一体化が強まり、患者の頭部への着脱がさらに容易になり、装着時の安定性も向上させることができる。
【００１８】
ここで、上記本体がマスク取付部を有する場合において、マスクの種類に応じて用意された、そのマスクの上部を固定するアタッチメントを有し、上記マスク取付部は、そのアタッチメントを介してマスクを取り付けるものであることがさらに好ましい。
【００１９】
マスクの取付部の形状はマスクの種類に応じて異なっている。このため、上記のようにアタッチメントを介在させてマスクを取り付けて構成することにより、様々な種類のマスクの中から選択された、その患者に適合したマスクを取り付けることが可能である。
【発明の効果】
【００２０】
以上の本発明によれば、取扱いが容易なＣＰＡＰ装置が提供される。
【図面の簡単な説明】
【００２１】
【図１】本発明の一実施形態としてのＣＰＡＰ装置を構成する組立体の外観斜視図である。
【図２】本発明の一実施形態としてのＣＰＡＰ装置を構成する組立体の、図１とは別の方向から見て示した外観斜視図である。
【図３】人体に装着された状態の組立体を含む、本実施形態のＣＰＡＰ装置の全体構成図である。
【図４】本実施形態のＣＰＡＰ装置の制御ブロック図である。
【図５】空気の流れを示した、組立体の縦断面図である。
【図６】本体の外枠を、マスクとの連結用の台座部分を除いて取り外し、その内部構成を示した斜視図である。
【図７】本体の外枠を、マスクとの連結用の台座部分を除いて取り外し、その内部構成を示した、図６とは異なる角度から眺めたときの斜視図である。
【図８】図６，図７に示す状態からさらに、ファンへの空気の流入口およびファンからの空気の流出口を取り外して示した斜視図である。
【図９】本体背面のマスク取付部を示した斜視図である。
【図１０】本体背面のマスク取付部を示した斜視図である。
【発明を実施するための形態】
【００２２】
以下、本発明の実施形態を説明する。
【００２３】
図１，図２は、本発明の一実施形態としてのＣＰＡＰ装置を構成する組立体の、それぞれ別の方向から見て示した外観斜視図である。
【００２４】
この組立体１０は、消音器２０と、本体３０と、マスク４０とを有する。
【００２５】
消音器２０は、その上面に空気流入口２１を有する。この空気流入口２１には、空気中の塵埃を除去するフィルタ２３が配置されている。また、この消音器２０は、その前面に空気流出口２２を有し、空気流入口２１から流入した空気を空気流出口２２から流出させる。この空気の流れは、本体３０に内蔵されたファン（ここでは図示せず）の回転によって発生する。消音器２０の内部には、消音機構としての吸音材が配置されており、空気が消音器に吸入されることにより発生する騒音を低減するように構成されている。
【００２６】
さらに、この消音器２０は、図２に示すように、その後面が凹曲面に形成され、患者の前頭部に宛てがわれる宛て部２４が形成されている。
【００２７】
本実施形態では、この消音器２０の外枠は、人体に対し柔かい当たりを得るために発泡ウレタンで形成されている。この実施形態では、患者の前頭部に対しさらに柔かい当たりを得るために、宛て部２４には、患者の前頭部の形状に合わせて形が変化するサポータ２４１が配置されている。
【００２８】
また、マスク４０は、空気取入口４１を有し、患者の鼻を覆うように患者の顔面に取り付けられて、空気取入口４１から取り入れた空気を患者の気道に供給する役割りを担っている。さらに、このマスク４０には、患者が一旦吸い込んで吐き出した空気を外に送り出すためのリーク穴４２が設けられている。
【００２９】
本体３０は、消音器２０の空気流出口２２に着脱自在に結合する空気中継口３１と、マスク４０の空気取入口４１に差し込まれる、管状に延びた空気送出口３２とを有する。本実施形態ではさらに、この本体３０に、マスク４０が着脱自在に取り付けられるマスク取付部３３が設けられている。このマスク取付部３３には、直接にはアタッチメント５０が取り付けられ、マスク４０は、そのアタッチメント５０に取り付けられることにより、そのアタッチメント５０を介在させて本体３０のマスク取付部３３に取り付けられる。ＣＰＡＰ装置用のマスクとして多数の種類のマスクが市販されており、患者はそれらのマスクの中から自分に合ったマスクを選択して使用する。このためアタッチメントもマスクの種類に応じて用意されており、使用されるマスクに応じたアタッチメントが使用される。
【００３０】
また、この本体３０には、空気中継口３１を通って流入してきた空気を空気送出口３２から送り出してマスク４０に供給するファンが内蔵されている。本実施形態では、このファンとして、シャフトとスリーブとの間に空気軸受けを有するモータが使用されている。空気軸受けを有するモータは、高速回転を得ることができ、小型軽量であっても所要の圧力の空気を発生させることができる。故に、本体３０を小型軽量化することができる。
【００３１】
この本体３０の外面を形成する外枠は、消音器２０の外枠と同じく発泡ウレタンで形成されている。この本体３０は、本実施形態では、人体に装着された状態において人体に直接に触れるものではないが、消音器２０との質感を統一することと、内部のファンを衝撃から保護するために、その外枠に発泡ウレタンが使用されている。このＣＰＡＰ装置の組立体１０は、これを装着して眠った患者が睡眠中に無意識に取り外して落下し、衝撃を受けることが考えられる。空気軸受けのモータは、このＣＰＡＰ装置のファン用として好ましいが、空気軸受けであることから衝撃には比較的弱いという難点がある。ここでは本体３０の外枠に緩衝材である発泡ウレタンを使用しているため、耐衝撃性が向上している。
【００３２】
図３は、人体に装着された状態の組立体を含む、本実施形態のＣＰＡＰ装置の全体構成図である。
【００３３】
本実施形態のＣＰＡＰ装置１は、これまで説明してきた組立体１０と、さらにコントローラ７０とを有する。組立体１０は、上述の消音器２０と本体３０とマスク４０とを有し、マスク４０の上部がアタッチメント５０（図１，図２参照、詳細は後述する）を介してベルト６１で患者の頭部９０に固定されるとともに、マスク４０の下部も、ベルト６１で患者の頭部９０に固定されている。
【００３４】
また、コントローラ７０は、組立体１０とは離間した位置に置かれて、その組立体１０との間が電線８０で接続されている。このコントローラ７０には、組立体１０の本体３０に内蔵されたファン（後述する）の駆動用の駆動回路が内蔵されており、このコントローラ７０は、電線８０を介してファンに駆動電流を送ってそのファンを駆動する役割りを担っている。このコントローラ７０には、商用電源からＡＣアダプタ８１を介して電力が供給される。また後述するように、本体３０にはその本体３０内を流れる空気の圧力を計測する圧力センサとその空気の流量を計測する流量センサが内蔵されており、それらのセンサでピックアップされた圧力を表わす信号と流量を表わす信号は電線８０を経由してコントローラ７０に入力され、コントローラ７０ではそれらの信号に基づいてファンの回転数等が制御される。
【００３５】
図４は、本実施形態のＣＰＡＰ装置１の制御ブロック図である。
【００３６】
ここには、組立体１０とコントローラ７０の制御システムが示されている。
【００３７】
前述の通り、組立体１０は、消音器２０と本体３０とマスク４０とを有する。消音器２０は、空気流入口２１（図１参照）に配置された、空気中の塵埃を除去するフィルタ２３と、空気の吸入に伴う騒音を抑える消音機構２５を有する。
【００３８】
また本体３０には、マスク４０に空気を送り込むためのファン３４と、ファン３４の回転駆動用のモータ基板３５が配置されている。このモータ基板３５にはコントローラ７０から駆動電流が送り込まれ、その駆動電流に応じた回転数でモータを回転させる。消音器２０から吸入された空気はファン３４の回転によりマスク４０に送り込まれる。
【００３９】
さらに、この本体３０には、センサ基板３８に搭載された圧力センサ３６と、流量センサ３７が配置されている。圧力センサ３６および流量センサ３７では、ファン３４から送り出された空気の、それぞれ圧力および流量が計測される。圧力センサ３６および流量センサ３７で計測された圧力および流量はコントローラ７０に伝えられる。コントローラ７０では、本体３０から伝えられてきた圧力や流量に基づいて、ファン３４の回転数を定める駆動電流が生成されて、その駆動電流がモータ基板３５に送られる。
【００４０】
マスク４０に送り込まれた空気は、患者の吸気動作により患者の気道に送りこまれ、患者の呼気動作によりリーク穴４２を通って外部に吐き出される。
【００４１】
本実施形態のコントローラ７０では、患者による圧力指定部７１の操作により、マスク４０に送り込まれる空気の圧力の制御方法が「固定」か「オート」かが指定され、さらに「固定」の場合は目標圧力が指定されて、その指定された目標圧力が圧力制御アルゴリズム７３に入力される。このコントローラ７０にはプログラムを実行するＣＰＵ（図示せず）が内蔵されており、この圧力制御アルゴリズム７３は、そのＣＰＵで圧力制御用のプログラムが実行されることにより実現する機能である。後述するオートＣＰＡＰアルゴリズム７２も同様である。
【００４２】
圧力制御アルゴリズム７３には、圧力センサ３６で計測された圧力を表わす信号が入力され、この圧力制御アルゴリズム７３では、圧力センサ３６で計測された圧力が目標圧力に一致するように駆動制御信号が生成される。この駆動制御信号は、モータ駆動回路７４に入力され、このモータ駆動回路７４では、その入力された駆動制御信号に応じた電流値の駆動電流を生成してモータ基板３５に送り込む。モータ基板３５ではその駆動電流をファンモータに供給してファン３４をその駆動電流に応じた回転数で回転させる。
【００４３】
圧力指定部７１で「オート」が指定されると、「オート」が指定されたことの情報がオートＣＰＡＰアルゴリズム７２に入力される。このオートＣＰＡＰアルゴリズム７２には本体３０内の流量センサ３７で計測された流量を表わす信号も入力される。オートＣＰＡＰアルゴリズム７２では、その入力された流量を表わす信号に基づいて、患者の無呼吸症候群に関わるイベントの有無や程度を検知し、目標圧力が算出される。この算出された目標圧力は、圧力制御アルゴリズム７３に入力される。その後の制御は、「固定」が指定された場合と同様である。
【００４４】
尚、オートＣＰＡＰアルゴリズム７２や圧力制御アルゴリズム７３としては、従来より様々なアルゴリズムが採用されており、また、それらのアルゴリズム自体は本実施形態の主題ではないため、これ以上の説明は省略する。
【００４５】
図５は、空気の流れを示した、組立体の縦断面図である。ここでは、この図を参照しながら、組立体内の空気の流れを説明する。
【００４６】
消音器２０には、その上面に形成された空気流入口２１から空気が取り込まれ、消音器２０内に設けられて大きく迂回する空気流路２５１を通った後、その消音器２０の前面に形成された空気流出口２２から流出し、本体３０に流入する。空気流路２５１の周囲には吸音材２５２が充填されており、空気の流入に伴って発生する騒音はこの吸音材２５２によって吸音される。すなわち、この消音器２０の内部には、空気流路２５１をその空気流路２５１を取り巻く吸音材２５２とにより消音機構２５が形成されている。
【００４７】
消音器２０を経由して本体３０に取り込まれた空気は、ファン３４により、マスク４０に向けて送り出される。このファン３４は、前述の通り、シャフトとスリーブとの間に空気軸受を有するモータを備えたものであり、小型、軽量で多量の空気或いは圧力の高い空気を送ることができる。
【００４８】
図６，図７は、本体３０の外枠を、マスク４０との連結用の台座部分を除いて取り外して内部構成を示した、互いに異なる角度から眺めたときの斜視図、図８は、図６，図７に示す状態からさらに、ファンへの空気の流入口およびファンからの空気の流出口を取り外して示した斜視図である。
【００４９】
消音器２０の空気流出口２２は本体３０のエアーガイド３９１と結合し、消音器２０の空気流出口２２から本体３０に流入した空気はエアーガイド３９１を通り矢印Ａの向きに流れてファン３４に流入する。そのファン３４から送り出された空気は、エアージョイント３９２およびもう１つのエアーガイド３９３を通って矢印Ｂの向きに流れ、管状に延びた空気送出口３２から送り出される。この空気送出口３２は、マスク４０の空気取入口４１に差し込まれており、この空気送出口３２から送り出された空気はマスク４０に送り込まれる。
【００５０】
ここで、ファン３４の後方（消音器２０寄り）には、コントローラ７０（図４参照）から駆動電流を受け取ってファンモータに供給するためのモータ基板３５（図４を合わせて参照）が配置されており、ファンモータは、このモータ基板３５から供給される駆動電流に応じた回転数で回転する。
【００５１】
また、この本体３０には、圧力センサ３６を搭載したセンサ基板３８が備えられており、圧力センサ３６は、エアチューブ３６１を介してエアーガイド３９３に繋がっている。エアーガイド３９３内の空気圧はそのエアチューブ３６１を介して圧力センサ３６に伝えられ、圧力センサ３６ではその空気圧が計測される。
【００５２】
さらに、この本体３０の、エアーガイド３９３の横には流量センサ３７が配置されている。この流量センサ３７では、エアーガイド３９３内を流れる空気の流量が計測される。
【００５３】
また、この本体３０には、コントローラ７０との間を繋ぐ電線８０（図３参照）が挿通される配線挿通孔３９４が設けられており、モータ基板３５、センサ基板３８および流量センサ３７は、その配線挿通孔３９４を通って本体３０内に挿入された電線８０と接続される。
【００５４】
図９，図１０は、本体背面のマスク取付部を示した斜視図である。図９は、マスクが取り外された状態のマスク取付部を示し、図１０は、そのマスク取付部にマスクが取り付けられた状態を示している。
【００５５】
この本体３０のマスク取付部３３には、直接的にはアタッチメント５０が取り付けられ、マスク４０はそのアタッチメント５０に取り付けられる。
【００５６】
本体３０のマスク取付部３３には、アタッチメント５０が乗せられる台部３３１と、その台部３３１の上に乗せたアタッチメント５０を上から抑えることによりそのアタッチメント５０をマスク取付部３３に固定する押え部３３２を有する。このアタッチメント５０には、その左右にマスク４０の、上側のベルト（図示せず）が挿通されていた挿通孔４３（図１０参照）に入り込んでその挿通孔４３を係止する一対の係止爪５１が設けられており、さらにその一対の係止爪５１それぞれの直ぐ外側に、ベルト６１（図３参照）が挿通される一対の挿通孔５２が設けられている。
【００５７】
マスク４０をこのマスク取付部３３に取り付けるにあたっては、そのマスク４０の、挿通孔４３に挿通されていたベルトをマスク４０から抜き取って、そのマスク４０の、ベルトが挿通されていた挿通孔４３にアタッチメント５０の係止爪５１を挿入することによりマスク４０をアタッチメント５０に取り付け、さらにマスク４０から取り外したベルトをアタッチメント５０の挿通孔５２に挿通して頭部に装着できるようにする。このようにしてマスク４０を取り付けたアタッチメント５０を、マスク取付部３３の台部３３１と押え部３３２とで挟むようにマスク取付部３３に取り付ける。あるいは、アタッチメント５０をマスク取付部３３に取り付けてから、そのアタッチメント５０にマスク４０を取り付けてもよい。
【００５８】
ここで、マスク４０は、様々な形状のものが市販されている。そこで、本実施形態の場合、マスク取付部３３に取り付ける部分の形状は共通であって各種のマスクにそれぞれ適合した、マスクの種類に応じた各種のアタッチメントが用意され、患者が使おうとしているマスクに適合するアタッチメントが採用される。尚、マスク４０の、空気取入口４１（例えば図６参照）の形状や寸法は規格で定められており、マスクの種類に因らず共通である。
【００５９】
以上で、本実施形態のＣＰＡＰ装置の説明を終了し、次いで本実施形態のＣＰＡＰ装置に対する各種の変形例を説明する。
【００６０】
上記の実施形態のＣＰＡＰ装置１では、各種のマスクに適合させるためにアタッチメント５０を用意してそのアタッチメントを介在させてマスクを取り付ける構造が採用されているが、マスクを取り付けるにあたっては必ずしもアタッチメントを介在させる構造を採用する必要はない。例えば、本体３０の背面とマスク４０の上部双方に磁石、あるいは一方に磁石、他方に磁性材料を取り付けて、マスク４０を磁力で本体３０に取り付けてもよい。あるいは、本体３０の背面とマスク４０の上部の双方に、マジックテープ（登録商標）等の面ファスナを取り付け、面ファスナでマスク４０を本体３０に取り付けてもよい。
【００６１】
或いは、マスク４０と本体３０との接続は、マスク４０の空気取入口４１と、本体３０の空気送出口３２のみとし、マスク４０は前述のマスク４０の挿通孔４３に挿通されていたベルトにより患者の頭部に装着し、本体３０は例えば消音器２０にマスク装着用のベルトと同様の装着ベルトを取り付けられるように構成し、その装着ベルトにより、消音器２０の宛て部２４で患者の前頭部を宛がうように、マスク４０とは独立して装着するようにしてもよい。
【００６２】
また、本実施形態のＣＰＡＰ装置１の消音器２０は、患者の前頭部に宛てがわれる宛て部２４を有し、前頭部に宛てがうことを予定した形状を有するが、本発明の消音器は、本体とは別体であって本体に対し着脱自在に構成されていればよく、必ずしも前頭部に宛てがう形状のものである必要はない。例えば前頭部に宛てがうことに代えて頭頂部に宛てがう形状のものであってもよく、あるいは、図３に示す２本のベルト６１，６２のうちのいずれか一方のベルトに沿わせた形状のものであってもよく、あるいは、ベルトを兼用したものであってもよい。ただし、人体に触れて人体によって支持されるので、少なくとも人体に宛てがわれる部分は柔かく、かつ可撓性があり、適度に伸縮可能であることが好ましい。
【００６３】
さらに、本実施形態のＣＰＡＰ装置１の消音器２０の内部には、消音機構としての吸音材が配置されているが、消音機構としては、吸音材を配置する以外に、ヘルムホルツ共鳴器のような消音構造を採用してもよく、本発明は、特定の消音機構に限定されるものではない。
【００６４】
さらに、上述の実施形態のＣＰＡＰ装置１の本体３０は、発泡ウレタンで外枠を形成しファン３４等をその内側に配置することで破損防止が図られているが、内部の、空気流路以外の部分を発泡ウレタン等の緩衝材で充填する構造としてもよい。
【００６５】
この場合は、１年に１回義務づけられているファンのオーバホールを行なうことが難しくなるが、本体自体を交換する仕様であれば、オーバホールが難しくなることは何ら差支えない。本体自体を交換する仕様であっても、本発明の場合、部品点数の少ない本体のみ交換すればよいため、コスト的に有利である。
【００６６】
さらに、上記の実施形態のＣＰＡＰ装置１は、本体３０内に流量センサ３７（図４，図７，図８参照）を備えるとともにコントローラ７０内にはオートＣＰＡＰアルゴリズム７２を備えたが、それらの搭載を省き、固定圧力にのみ制御するタイプのＣＰＡＰ装置として構成してもよい。さらに、ＣＰＡＰ装置には加湿器を備えたものがあるが、本発明においても、上記の実施形態に加え、さらに加湿器を備えてもよい。ただし、本体をオーバホールなしに交換する仕様の場合、本体の部品点数をできるだけ減らして本体のコストをできるだけ下げるために、加湿器は消音器に組み込むか、あるいは消音器と本体の双方に対し別体であって消音器からその加湿器を通って本体に空気が流れる構造とすることが好ましい。
【符号の説明】
【００６７】
１          ＣＰＡＰ装置
１０        組立体
２０        消音器
２１        空気流入口
２２        空気流出口
２３        フィルタ
２４        宛て部
２５        消音機構
３０        本体
３１        空気中継口
３２        空気送出口
３３        マスク取付部
３４        ファン
３５        モータ基板
３６        圧力センサ
３７        流量センサ
３８        センサ基板
４０        マスク
４１        空気取入口
４２        リーク穴
４３        挿通孔
５０        アタッチメント
５１        係止爪
６１，６２      ベルト
７０        コントローラ
７１        圧力指定部
７３        圧力制御アルゴリズム
７２        オートＣＰＡＰアルゴリズム
７４        モータ駆動回路
８０        電線
８１        ＡＣアダプタ
９０        頭部
２４１        サポータ
２５１        空気流路
２５２        吸音材
３３１        台部
３３２        押え部
３６１        エアチューブ
３９１        エアーガイド
３９３        エアーガイド
３９４      配線挿通孔
【図１】
2013150684.tif 000003
【図２】
2013150684.tif 000004
【図３】
2013150684.tif 000005
【図４】
2013150684.tif 000006
【図５】
2013150684.tif 000007
【図６】
2013150684.tif 000008
【図７】
2013150684.tif 000009
【図８】
2013150684.tif 000010
【図９】
2013150684.tif 000011
【図１０】
2013150684.tif 000012